(57)【要約】【課題】  誤りが少なく、また、誤った場合でもすぐに作り直すことができるＩＣカード作製キットを提供すること。【解決手段】  シート状の紙により形成されたシール部材１１０に、同じ大きさ・形状の第一の領域１１２と第二の領域１１３とを形成し、この第一の領域１１２にＩＣインレット１２０を貼り付け、これらの領域の境界に容易に折り曲げることができるミシン目１１５を形成しておくことで、このミシン目１１５に沿って第一の領域１１２と第二の領域１１３の間にＩＣインレット１２０を挟み込むようにこれらを貼り合わせることで、容易にＩＣカードを作製することができる。【選択図】    図１
2006331022.tif 000002
【特許請求の範囲】
【請求項１】
一方の面を表示面とし、他方の面を接着面とするシート状のシール部材であって、
前記シール部材は、第一の領域と、前記第一の領域に隣接し、かつ、前記第一の領域と同じ形状及び大きさの第二の領域と、を備え、
前記第一の領域と前記第二の領域との間の境界線には、折り目が形成されているシール部材と、
電磁波を受信するアンテナ部と、前記アンテナ部に接続され、電磁波を介してデータの送受信を行うＩＣチップと、を備え、前記第一の領域又は前記第二の領域の何れか一方に形成されたＩＣインレットと、
を有し、
前記第一の領域又は前記第二の領域のいずれか他方には接着剤が塗布されており、前記第一の領域と前記第二の領域の接着面同士が重なり合う方向に前記折り目を折り曲げることにより、前記ＩＣインレットを前記第一の領域と前記第二の領域との間に挟み込むことができるようにしたことを特徴とするＩＣカード作製キット。
【請求項２】
前記折り目は、ミシン目であることを特徴とする請求項１に記載のＩＣカード作製キット。
【請求項３】
前記折り目は、表示面から接着面に向かって所定の深さにまで到達する切り込みであることを特徴とする請求項１に記載のＩＣカード作製キット。
【請求項４】
クライアントコンピュータと、前記クライアントコンピュータにコンピュータネットワークを介して接続されたサーバーコンピュータと、からなるＩＣカード作製システムであって、
前記クライアントコンピュータにおいて入力された所定の個人情報を、前記コンピュータネットワークを介して、前記サーバーコンピュータに送信し、
前記サーバーコンピュータは、受信した前記個人情報に基づいてシール部材の所定の領域に所定の前記個人情報を印刷するとともに、ＩＣインレットのメモリ領域に前記個人情報を記憶するものであり、
前記シール部材は、一方の面を表示面とし、他方の面を接着面とするシート状に形成され、
前記シール部材は、第一の領域と、前記第一の領域に隣接し、かつ、前記第一の領域と同じ形状及び大きさの第二の領域と、を備え、
前記第一の領域と前記第二の領域との間の境界線には、折り目が形成されたものであって、
前記ＩＣインレットは、電磁波を受信するアンテナ部と、前記アンテナ部に接続され、電磁波を介してデータの送受信を行うＩＣチップと、を備え、前記シール部材の前記大地の領域又は前記第二の領域の何れか一方に形成されたものであり、
前記第一の領域又は前記第二の領域のいずれか他方には接着剤が塗布されており、前記第一の領域と前記第二の領域の接着面同士が重なり合う方向に前記折り目を折り曲げることにより、前記ＩＣインレットを前記第一の領域と前記第二の領域との間に挟み込むことでＩＣカードを作成することができるようにしたことを特徴とするＩＣカード作製システム。
【請求項５】
前記折り目は、ミシン目であることを特徴とする請求項４に記載のＩＣカード作製システム。
【請求項６】
前記折り目は、表示面から接着面に向かって所定の深さにまで到達する切り込みであることを特徴とする請求項４に記載のＩＣカード作製システム。
【請求項７】
前記個人情報には、氏名と、個人の写真画像と、会社名と、会社の郵便番号と、会社の住所と、会社の電話番号と、会社のファックス番号と、社員番号と、所属部署と、配属年月日と、が含まれていることを特徴とする請求項４乃至６の何れか一項に記載のＩＣカード作製システム。
【発明の詳細な説明】
【技術分野】
【０００１】
本発明は、無線通信を行うＩＣインレットに貼り付けるシール部材、このようなシール部材を用いたＩＣカード作製キット及びこのようなシール部材を用いたＩＣカード作製システムに関する。
【背景技術】
【０００２】
近年、アンテナ部とＩＣチップとをフィルム内に内蔵したＩＣインレットを用いて、外部のリーダ・ライタからの電磁波を介して電力を得ることで、ＩＣチップを外部のリーダ・ライタに直接接触させることなく、電磁波を介してデータの送受信を行うことができる非接触式のデータ管理システムが使用されている。
【０００３】
このような非接触式のデータ管理システムでは、例えば、アンテナ部とＩＣチップとをフィルム内に内蔵したＩＣインレットに個人情報等を印刷したラベルを貼り付けた社員証等のカードが使用されている。
【０００４】
そして、このようなカードは、位置合わせされてコンベア上を進んでくるＩＣインレットに、例えば、図５に表されているような一枚のシート５００に複数のラベル５０１が印刷されたものを貼り合わせることにより製造されていた（例えば、特許文献１参照）。
【特許文献１】特開２００３−２７６３７１号公報
【発明の開示】
【発明が解決しようとする課題】
【０００５】
しかしながら、従来のように、位置合わせされてコンベア上を進んでくるＩＣインレットに、一枚のシートに複数のラベルが印刷されたものを貼り合わせる場合には、ラベルの表面に印刷されている情報とＩＣインレットのＩＣチップのメモリに記憶されている情報とが錯誤により異なってしまう場合があり、このような場合には、一度に貼り合わされた複数のラベルが全て間違っていることが多く、これを訂正するのには大変な時間と労力がかかっていた。
【０００６】
そこで、本発明は、誤りが少なく、また、誤った場合でもすぐに作り直すことができるＩＣカード作製キット及びＩＣカード作製システムを提供することを目的とする。
【課題を解決するための手段】
【０００７】
以上の課題を解決するため、本発明は、一方の面を表示面とし、他方の面を接着面とするシート状のシール部材であって、前記シール部材は、第一の領域と、前記第一の領域に隣接し、かつ、前記第一の領域と同じ形状及び大きさの第二の領域と、を備え、前記第一の領域と前記第二の領域との間の境界線には、折り目が形成されているシール部材と、電磁波を受信するアンテナ部と、前記アンテナ部に接続され、電磁波を介してデータの送受信を行うＩＣチップと、を備え、前記第一の領域又は前記第二の領域の何れか一方に形成されたＩＣインレットと、を有し、前記第一の領域又は前記第二の領域のいずれか他方には接着剤が塗布されており、前記第一の領域と前記第二の領域の接着面同士が重なり合う方向に前記折り目を折り曲げることにより、前記ＩＣインレットを前記第一の領域と前記第二の領域との間に挟み込むことができるようにしたことを特徴とするＩＣカード作製キットを提供する。
【０００８】
このようなＩＣカード作製キットを提供することで、一つのシール部材に一つの情報を印刷し、また、ＩＣインレットのＩＣチップに情報を記憶させて、これらを貼り合わせることにより、容易にカードを作製することができるほか、これらの情報が一致していることを確認してからこれらを貼り合わせることで、これらの情報が異なる情報となってしまうことを防止することができ、また、これらの情報が異なってしまってもすぐに作り直すことができるようになる。
【０００９】
ここで、シール部材に形成する折り目は、ミシン目とすることも可能であり、また、表示面から接着面に向かって所定の深さにまで到達する切り込みとすることも可能である。
【００１０】
また、本発明は、クライアントコンピュータと、前記クライアントコンピュータにコンピュータネットワークを介して接続されたサーバーコンピュータと、からなるＩＣカード作製システムであって、前記クライアントコンピュータにおいて入力された所定の個人情報を、前記コンピュータネットワークを介して、前記サーバーコンピュータに送信し、前記サーバーコンピュータは、受信した前記個人情報に基づいてシール部材の所定の領域に所定の前記個人情報を印刷するとともに、ＩＣインレットのメモリ領域に前記個人情報を記憶するものであり、前記シール部材は、一方の面を表示面とし、他方の面を接着面とするシート状に形成され、前記シール部材は、第一の領域と、前記第一の領域に隣接し、かつ、前記第一の領域と同じ形状及び大きさの第二の領域と、を備え、前記第一の領域と前記第二の領域との間の境界線には、折り目が形成されたものであって、前記ＩＣインレットは、電磁波を受信するアンテナ部と、前記アンテナ部に接続され、電磁波を介してデータの送受信を行うＩＣチップと、を備え、前記シール部材の前記大地の領域又は前記第二の領域の何れか一方に形成されたものであり、前記第一の領域又は前記第二の領域のいずれか他方には接着剤が塗布されており、前記第一の領域と前記第二の領域の接着面同士が重なり合う方向に前記折り目を折り曲げることにより、前記ＩＣインレットを前記第一の領域と前記第二の領域との間に挟み込むことでＩＣカードを作成することができるようにしたことを特徴とするＩＣカード作製システムを提供する。
【００１１】
このようなＩＣカード作製システムを提供することにより、コンピュータネットワークを介して容易かつ個別にＩＣカードを作製することができるほか、これらの情報が一致していることを確認してからこれらを貼り合わせることで、これらの情報が異なる情報となってしまうことを防止することができ、また、これらの情報が異なってしまってもすぐに作り直すことができるようになる。
【００１２】
ここで、シール部材に形成する折り目は、ミシン目とすることも可能であり、また、表示面から接着面に向かって所定の深さにまで到達する切り込みとすることも可能である。
【００１３】
なお、ＩＣカードの表示面に印刷し、また、ＩＣカードのメモリ領域に記憶する個人情報としては、氏名と、個人の写真画像と、会社名と、会社の郵便番号と、会社の住所と、会社の電話番号と、会社のファックス番号と、社員番号と、所属部署と、配属年月日と、が含まれていることが望ましい。
【発明の効果】
【００１４】
以上のように、本発明によれば、一枚のシート毎に情報を印刷して貼り合わせるようにすることで、誤りが少なく、また、誤った場合でもすぐに作り直すことができるＩＣカード作製キットを提供することができる。
【００１５】
また、本発明におけるＩＣカード作製システムによれば、インターネット等のコンピュータネットワークを介して、容易にＩＣカードを作製することができる。
【発明を実施するための最良の形態】
【００１６】
図１は、本発明の第一の実施形態に係るＩＣカード作製キット１００の正面図である。
【００１７】
本実施形態に係るＩＣカード作製キット１００は、シール部材１１０と、ＩＣインレット１２０と、により構成されている。
【００１８】
シール部材１１０は、シート状の紙により形成されており、図１に表されたシール部材１１０表面は、印刷を施す表示面１１１ａにされており、図１に表されたシール部材１１０の裏面は、接着剤が塗布された接着面１１１ｂにされている。
【００１９】
なお、シール部材１１０の裏面にあるため図示していないが、シール部材１１０の接着面１１１ｂには、この接着面１１１ｂから容易に取り外すことができる剥離紙が貼り付けられている。
【００２０】
シール部材１１０には、第一の領域１１２と、第二の領域１１３と、余白領域１１４と、が形成されている。
【００２１】
ここで、第一の領域１１２と第二の領域１１３とは隣接しており、第一の領域１１２及び第二の領域１１３は、余白領域１１４から切断されており、この余白領域１１４から切り離すことができるようにされている。
【００２２】
また、第一の領域１１２と第二の領域１１３とは、同じ大きさ・形状の矩形状に形成されており、これらの間の境界線には、ミシン目１１５が形成されているため、このミシン目１１５に沿って折り返すことにより、第一の領域１１２と第二の領域１１３とは重ね合わせることができるようにされている。
【００２３】
シール部材１１０の第一の領域１１２の接着面１１１ｂには、電磁波を受信するアンテナ部１２１と、このアンテナ部１２１に接続されており、電磁波を介してデータの送受信を行うＩＣチップ１２２と、をフィルム１２３内に備えるＩＣインレット１２０が貼付されている。
【００２４】
以上のように本実施形態に係るＩＣカード作製キット１００を構成したので、図２（ＩＣカード作製キット１００の使用例を表す斜視図）に表されているように、電磁波を受信するアンテナ部１２１と、このアンテナ部１２１に接続されており、シート部材１１０を接着面１１１ｂ同士が重なり合う方向にミシン目１１５を折り曲げることにより、ＩＣインレット１２０をその内部に貼り付けることがで、容易にＩＣインレット１２０を内包するＩＣカードを作製することができる。
【００２５】
なお、第一の領域１１２及び第二の領域１１３の形状・大きさについては、これらの内側に挟み込むＩＣインレット１２０の大きさ・形状に合わせて適宜変更することができる設計事項である。
【００２６】
また、本実施形態においては、シール部材１１０を紙により形成したが、このような紙を使用する代わりにシート状の樹脂フィルムを使用することも可能である。
【００２７】
なお、以上のようにして作製されたＩＣカードについては、表面にラミネート加工を施すことにより汚れや水に強くなる。
【００２８】
図３は、本発明の第二の実施形態に係るＩＣカード作製キット２００の正面図である。
【００２９】
本実施形態に係るＩＣカード作製キット２００は、シール部材２１０と、ＩＣインレット１２０と、により形成されている。
【００３０】
本実施形態に係るシール部材２１０は、第一の実施形態と同様に、シート状の紙により形成されており、図３に表されたシール部材２１０の表面は、印刷を施す表示面２１１ａにされており、その裏面は、接着剤が塗布された接着面２１１ｂにされている。
【００３１】
なお、第一の実施形態と同様に、シール部材２１０の裏面にあるため図示していないが、シール部材２１０の接着面２１１ｂには、この接着面２１１ｂから容易に取り外すことができる剥離紙が取り付けられている。
【００３２】
また、本実施形態に係るシール部材２１０には、第一の領域２１２と、第二の領域２１３と、が形成されており、第一の実施形態とは異なり、余白領域は設けられていない。
【００３３】
第一の実施形態と同様に、第一の領域２１２と第二の領域２１３とは隣接している。
【００３４】
また、第一の領域２１２と第二の領域２１３とは、同じ大きさ・形状の矩形状に形成されており、これらの間の境界線には、第一の実施形態とは異なり、表示面２１１ａから接着面２１１ｂに向かって所定の深さまで切り込まれた切り込み線２１６が形成されているため、この切り込み線２１６に沿って折り返すことにより、第一の領域２１２と第二の領域２１３とは重ね合わせることができるようにされている。
【００３５】
なお、表示面２１１ａから接着面２１１ｂに向かってどの程度の深さにまで切り込みを入れるかは、この切り込み線２１６の部分で容易に折り返すことができる範囲で適宜変更することができる設計事項である。
【００３６】
また、ＩＣインレット１２０は、樹脂製のフィルム１２３内に、電磁波を受信するアンテナ部１２１と、このアンテナ部１２１に接続されており、電磁波を介してデータの送受信を行うＩＣチップ１２２と、を備えている。
【００３７】
そして、このＩＣインレット１２０は、シール部材２１０の第一の領域２１２の接着面２１１ｂに貼付されている。
【００３８】
以上のように本実施形態に係るＩＣカード作製キット２００を構成したので、第一の実施形態と同様に、第一の領域２１２と第二の領域２１３とをＩＣインレット１２０が貼着されている方向に切り込み線２１６で折り曲げることにより、このＩＣインレット１２０を内包するＩＣカードを容易に作製することができる。
【００３９】
なお、第一の実施形態と同様に、第一の領域２１２及び第二の領域２１３の形状・大きさについては、これらの内側に挟み込むＩＣインレット１２０の大きさ・形状に合わせて適宜変更することができる設計事項である。
【００４０】
また、本実施形態においては、シール部材２１０を紙により形成したが、このような紙を使用する代わりにシート状の樹脂フィルムを使用することも可能である。
【００４１】
図４は、本発明の第三の実施形態に係るＩＣカード作製システム３００の概略構成図である。
【００４２】
本実施形態に係るＩＣカード作製システム３００は、クライアントコンピュータ３３１と、クライアントコンピュータ３３１にインターネット３３２を介して接続されたサーバーコンピュータ３３３と、により構成されている。
【００４３】
クライアントコンピュータ３３１は、インターネット３３２を介してサーバーコンピュータ３３３と相互に通信可能なウェブブラウザを実行可能なものであればよく、例えば、パーソナルコンピュータ、インターネット通信機能付き携帯電話、インターネット通信機能付きＰＤＡ（Ｐｅｒｓｏｎａｌ  Ｄｉｇｉｔａｌ  Ａｓｓｉｓｔａｎｔ）等を使用することができる。
【００４４】
サーバーコンピュータ３３３は、ＣＰＵ（Ｃｅｎｔｒａｌ  Ｐｒｏｃｅｓｓｉｎｇ  Ｕｎｉｔ）３３４と、メインメモリ３３５と、補助メモリ３３６と、プリンター３３７と、リーダ・ライタ３３８と、を備えている。
【００４５】
サーバーコンピュータ１０４の補助メモリ１０７には、ウェブサイトデータ記憶領域が設けられており、クライアントコンピュータ３３１からの接続要求に応じて、ウェブサイトデータ記憶領域に記憶されているウェブサイトデータをクライアントコンピュータ３３１に送信し、クライアントコンピュータ３３１はウェブブラウザを介して、このウェブサイトデータを開くことができるようにされている。
【００４６】
そして、クライアントコンピュータ３３１は、ウェブブラウザで開かれたウェブサイトにおいて、氏名と、個人の写真画像と、会社名と、会社の郵便番号と、会社の住所と、会社の電話番号と、会社のファックス番号と、社員番号と、所属部署と、配属年月日と、からなる個人情報を入力し、サーバーコンピュータ３３３に送信する。
【００４７】
クライアントコンピュータ３３１から個人情報が送信されたサーバーコンピュータ３３３は、個人情報を補助メモリ３３６に記憶するとともに、メインメモリ３３５に呼び出し、ＣＰＵ３３４により予め定められたフォントサイズや画像サイズに個人情報を変換し、図１に表されているシール部材１１０の第一の領域１１２及び第二の領域１１３の予め定められた箇所にプリンター３３７で印刷を行う。
【００４８】
なお、シール部材１１０への印刷様式については、個人情報の種類に応じて適宜変更することができる設計事項である。
【００４９】
また、ＣＰＵ３３４は、メインメモリ３３５に呼び出した個人情報を図２に表されているＩＣインレット１２０の記憶領域にリーダ・ライタ３３８を介して記憶させる。
【００５０】
このようにして作製されたシール部材１１０とＩＣインレット１２０は、シール部材１１０の第一の領域１１２又は第二の領域１１３の何れか一方に貼着された状態で、ＩＣカード作製キットとして個人情報の送信先に郵送等により送られる。
【００５１】
そして、送信先では、シール部材１１０に印刷されている情報とＩＣインレット１２０に記憶されている情報とが一致していることを確認した上で、これらを貼り合わせることで、ＩＣカードを容易に作成することができる。
【図面の簡単な説明】
【００５２】
【図１】第一の実施形態に係るシール部材１１０の正面図。
【図２】シール部材１１０の使用例を表す斜視図。
【図３】第二の実施形態に係るＩＣカード作製キット２００。
【図４】第三の実施形態に係るＩＣカード作製システム３００の概略構成図。
【図５】従来使用されていたシート５００の正面図。
【符号の説明】
【００５３】
１００、２００  ＩＣカード作製キット
１１０、２１０  シール部材
１１２、２１２  第一の領域
１１３、２１３  第二の領域
１１５  ミシン目
１２０  ＩＣインレット
１２１  アンテナ部
１２２  ＩＣチップ
１２３  フィルム
２１６  切り込み線
３００  ＩＣカード作製システム
３３１  クライアントコンピュータ
３３２  インターネット
３３３  サーバーコンピュータ
３３７  プリンター
３３８  リーダ・ライタ
【図１】
2006331022.tif 000003
【図２】
2006331022.tif 000004
【図３】
2006331022.tif 000005
【図４】
2006331022.tif 000006
【図５】
2006331022.tif 000007